(57)【特許請求の範囲】
【請求項１】
モバイル局により実行される、往復遅延を測定する方法であって、
基地局から、ダウンリンクフレームと、レンジング応答と、を受信することと、
前記基地局での２つの異なるタイプのフレーム間の第１の時間差を、基地局からのブロードキャストメッセージで、受信することと、
前記レンジング応答に基づき前記モバイル局での２つの異なるタイプのフレーム間の第２の時間差を決定することと、
前記基地局での２つの異なるタイプのフレーム間の第１の時間差および前記モバイル局での２つの異なるタイプのフレーム間の第２の時間差に基づき前記往復遅延を計算することと、
前のアップリンクタイミング較正からのダウンリンクフレームの、前記モバイル局の移動から生じるタイミングシフトを決定することと、
前記往復遅延を計算するときに前記タイミングシフトを入れることと、
を含む方法。
【請求項２】
前記基地局での２つの異なるタイプのフレーム間の第１の時間差は前記基地局での送信／受信遷移ギャップ（ＴＴＧ）であり、前記モバイル局での２つの異なるタイプのフレーム間の第２の時間差は前記モバイル局での送信／受信遷移ギャップ（ＴＴＧ＿ＭＳ）である、
請求項１の方法。
【請求項３】
前記往復遅延はＴＴＧ−ＴＴＧ＿ＭＳとして計算される、請求項２の方法。
【請求項４】
前記基地局での２つの異なるタイプのフレーム間の第１の時間差は前記基地局での受信／送信遷移ギャップ（ＲＴＧ）であり、前記モバイル局での２つの異なるタイプのフレーム間の第２の時間差は前記モバイル局での受信／送信遷移ギャップ（ＲＴＧ＿ＭＳ）である、請求項１の方法。
【請求項５】
前記往復遅延はＲＴＧ＿ＭＳ−ＲＴＧとして計算される、請求項４の方法。
【請求項６】
アップリンク送信タイミングを較正すること、をさらに含む請求項１の方法。
【請求項７】
前記往復遅延はＴＴＧ−ＴＴＧ＿ＭＳ＋Ｄと計算される、ここでＤは、前のアップリンクタイミング較正からのダウンリンクフレームの前記タイミングシフトである、
請求項２の方法。
【請求項８】
前記往復遅延はＲＴＧ＿ＭＳ−ＲＴＧ＋Ｄと計算される、ここでＤは、前のアップリンクタイミング較正からのダウンリンクフレームの前記タイミングシフトである、
請求項４の方法。
【請求項９】
前記モバイル局は、電子電気学会（ＩＥＥＥ）８０２．１６標準規格に準拠する無線通信ネットワークによって通信するように構成される、請求項１の方法。
【請求項１０】
往復遅延を測定するモバイル局であって、
プロセッサと、
前記プロセッサと電気的に通信するメモリと、
前記メモリに記憶された命令と、
を備え、前記命令は、
基地局から、ダウンリンクフレームと、レンジング応答と、を受信することと、
前記基地局での２つの異なるタイプのフレーム間の第１の時間差を、基地局からのブロードキャストメッセージで、受信することと、
前記レンジング応答に基づき前記モバイル局での２つの異なるタイプのフレーム間の第２の時間差を決定することと、
前記基地局での２つの異なるタイプのフレーム間の第１の時間差および前記モバイル局での２つの異なるタイプのフレーム間の第２の時間差に基づき前記往復遅延を計算することと、
前のアップリンクタイミング較正からのダウンリンクフレームの、前記モバイル局の移動から生じるタイミングシフトを決定することと、
前記往復遅延を計算するときに前記タイミングシフトを入れることと、
を実行可能なモバイル局。
【請求項１１】
前記基地局での２つの異なるタイプのフレーム間の第１の時間差は前記基地局での送信／受信遷移ギャップ（ＴＴＧ）であり、前記モバイル局での２つの異なるタイプのフレーム間の第２の時間差は前記モバイル局での送信／受信遷移ギャップ（ＴＴＧ＿ＭＳ）である、
請求項１０のモバイル局。
【請求項１２】
前記往復遅延はＴＴＧ−ＴＴＧ＿ＭＳとして計算される、請求項１１のモバイル局。
【請求項１３】
前記基地局での２つの異なるタイプのフレーム間の第１の時間差は前記基地局での受信／送信遷移ギャップ（ＲＴＧ）であり、前記モバイル局での２つの異なるタイプのフレーム間の第２の時間差は前記モバイル局での受信／送信遷移ギャップ（ＲＴＧ＿ＭＳ）である、請求項１０のモバイル局。
【請求項１４】
前記往復遅延はＲＴＧ＿ＭＳ−ＲＴＧとして計算される、請求項１３のモバイル局。
【請求項１５】
前記命令は、アップリンク送信タイミングを較正すること、をさらに実行可能な請求項１０のモバイル局。
【請求項１６】
前記往復遅延はＴＴＧ−ＴＴＧ＿ＭＳ＋Ｄと計算される、ここでＤは、前のアップリンクタイミング較正からのダウンリンクフレームの前記タイミングシフトである、
請求項１１のモバイル局。
【請求項１７】
前記往復遅延はＲＴＧ＿ＭＳ−ＲＴＧ＋Ｄと計算される、ここでＤは、前のアップリンクタイミング較正からのダウンリンクフレームの前記タイミングシフトである、
請求項１３のモバイル局。
【請求項１８】
前記モバイル局は、電子電気学会（ＩＥＥＥ）８０２．１６標準規格に準拠する無線通信ネットワークによって通信するように構成される、請求項１０のモバイル局。
【請求項１９】
往復遅延を測定するモバイル局であって、
基地局から、ダウンリンクフレームと、レンジング応答と、を受信する手段と、
前記基地局での２つの異なるタイプのフレーム間の第１の時間差を、基地局からのブロードキャストメッセージで、受信する手段と、
前記レンジング応答に基づき前記モバイル局での２つの異なるタイプのフレーム間の第２の時間差を決定する手段と、
前記基地局での２つの異なるタイプのフレーム間の第１の時間差および前記モバイル局での２つの異なるタイプのフレーム間の第２の時間差に基づき前記往復遅延を計算する手段と、
前のアップリンクタイミング較正からのダウンリンクフレームの、前記モバイル局の移動から生じるタイミングシフトを決定する手段と、
前記往復遅延を計算するときに前記タイミングシフトを入れる手段と、
を備えるモバイル局。
【請求項２０】
前記基地局での２つの異なるタイプのフレーム間の第１の時間差は前記基地局での送信／受信遷移ギャップ（ＴＴＧ）であり、前記モバイル局での２つの異なるタイプのフレーム間の第２の時間差は前記モバイル局での送信／受信遷移ギャップ（ＴＴＧ＿ＭＳ）である、
請求項１９のモバイル局。
【請求項２１】
前記往復遅延はＴＴＧ−ＴＴＧ＿ＭＳとして計算される、請求項２０のモバイル局。
【請求項２２】
前記基地局での２つの異なるタイプのフレーム間の第１の時間差は前記基地局での受信／送信遷移ギャップ（ＲＴＧ）であり、前記モバイル局での２つの異なるタイプのフレーム間の第２の時間差は前記モバイル局での受信／送信遷移ギャップ（ＲＴＧ＿ＭＳ）である、請求項１９のモバイル局。
【請求項２３】
前記往復遅延はＲＴＧ＿ＭＳ−ＲＴＧとして計算される、請求項２２のモバイル局。
【請求項２４】
アップリンク送信タイミングを較正する手段、をさらに備える請求項１９のモバイル局。
【請求項２５】
前記往復遅延はＴＴＧ−ＴＴＧ＿ＭＳ＋Ｄと計算される、ここでＤは、前のアップリンクタイミング較正からのダウンリンクフレームの前記タイミングシフトである、
請求項２０のモバイル局。
【請求項２６】
前記往復遅延はＲＴＧ＿ＭＳ−ＲＴＧ＋Ｄと計算される、ここでＤは、前のアップリンクタイミング較正からのダウンリンクフレームの前記タイミングシフトである、
請求項２２のモバイル局。
【請求項２７】
前記モバイル局は、電子電気学会（ＩＥＥＥ）８０２．１６標準規格に準拠する無線通信ネットワークによって通信するように構成される、請求項１９のモバイル局。
【請求項２８】
往復遅延を測定するための命令を有するコンピュータ読取可能な記憶媒体であって、前記命令は、
コンピュータに、基地局から、ダウンリンクフレームと、レンジング応答と、を受信させるコードと、
前記コンピュータに、前記基地局での２つの異なるタイプのフレーム間の第１の時間差を、基地局からのブロードキャストメッセージで、受信させるコードと、
前記コンピュータに、前記レンジング応答に基づき前記モバイル局での２つの異なるタイプのフレーム間の第２の時間差を決定させるコードと、
前記コンピュータに、前記基地局での２つの異なるタイプのフレーム間の第１の時間差および前記モバイル局での２つの異なるタイプのフレーム間の第２の時間差に基づき前記往復遅延を計算させるコードと、
前記コンピュータに、前のアップリンクタイミング較正からのダウンリンクフレームの、前記モバイル局の移動から生じるタイミングシフトを決定させるコードと、
前記コンピュータに、前記往復遅延を計算するときに前記タイミングシフトを入れさせるコードと、
を含むコンピュータ読取可能な記憶媒体。
【請求項２９】
前記基地局での２つの異なるタイプのフレーム間の第１の時間差は前記基地局での送信／受信遷移ギャップ（ＴＴＧ）であり、前記モバイル局での２つの異なるタイプのフレーム間の第２の時間差は前記モバイル局での送信／受信遷移ギャップ（ＴＴＧ＿ＭＳ）である、
請求項２８のコンピュータ読取可能な記憶媒体。
【請求項３０】
前記往復遅延はＴＴＧ−ＴＴＧ＿ＭＳとして計算される、請求項２９のコンピュータ読取可能な記憶媒体。
【請求項３１】
前記基地局での２つの異なるタイプのフレーム間の第１の時間差は前記基地局での受信／送信遷移ギャップ（ＲＴＧ）であり、前記モバイル局での２つの異なるタイプのフレーム間の第２の時間差は前記モバイル局での受信／送信遷移ギャップ（ＲＴＧ＿ＭＳ）である、請求項２８のコンピュータ読取可能な記憶媒体。
【請求項３２】
前記往復遅延はＲＴＧ＿ＭＳ−ＲＴＧとして計算される、請求項３１のコンピュータ読取可能な記憶媒体。
【請求項３３】
前記命令は、
前記コンピュータに、アップリンク送信タイミングを較正させるコードをさらに含む請求項２８のコンピュータ読取可能な記憶媒体。
【請求項３４】
前記往復遅延はＴＴＧ−ＴＴＧ＿ＭＳ＋Ｄと計算される、ここでＤは、前のアップリンクタイミング較正からのダウンリンクフレームの前記タイミングシフトである、
請求項２９のコンピュータ読取可能な記憶媒体。
【請求項３５】
前記往復遅延はＲＴＧ＿ＭＳ−ＲＴＧ＋Ｄと計算される、ここでＤは、前のアップリンクタイミング較正からのダウンリンクフレームの前記タイミングシフトである、
請求項３１のコンピュータ読取可能な記憶媒体。
【請求項３６】
前記モバイル局は、電子電気学会（ＩＥＥＥ）８０２．１６標準規格に準拠する無線通信ネットワークによって通信するように構成される、請求項２８のコンピュータ読取可能な記憶媒体。
【発明の詳細な説明】
【技術分野】
【０００１】
本開示は、一般に、無線通信システムに関する。より具体的には、本開示は、モバイル局で往復遅延を測定する方法および装置に関する。
【背景技術】
【０００２】
無線通信デバイスは、消費者ニーズを満たし、かつポータビリティと便宜を改善するためにより小さく、より強力になった。消費者は、携帯電話、携帯情報端末（ＰＤＡ）、ラップトップ・コンピュータ、などのような無線通信デバイスに依存するようになった。消費者は、信頼できるサービス、受信エリアの拡張、そして機能の増加を期待するようになった。無線通信デバイスは、モバイル局、局、アクセス端末、ユーザ端末、端末、加入者ユニット、ユーザ機器などと呼ばれる。
【０００３】
無線通信システムは、同時に複数の無線通信デバイスのための通信をサポートできる。無線通信デバイスは、アップリンクとダウンリンク上の送信によって、１つまたは複数の基地局（それらはアクセスポイント、ノードＢなどと択一的に呼ばれる）と通信する。アップリンク（あるいは逆方向リンク）は、無線通信デバイスから基地局へ通信リンクを指し、ダウンリンク（あるいは順方向リンク）は基地局から無線通信デバイスへの通信リンクを指す。
【０００４】
基地局から無線通信デバイスへの送信を円滑にする通信リンクは、順方向リンクと呼ばれ、無線通信デバイスから基地局への送信を円滑にする通信リンクは、逆方向リンクと呼ばれる。あるいは、順方向リンクはダウンリンクまたは順方向チャネルと呼ばれ、逆方向リンクはアップリンクあるいは逆方向チャネルと呼ばれる。
【０００５】
無線通信システムは、利用可能なシステムリソース（例えば、帯域幅および送信電力）の共有により、複数のユーザとの通信をサポートすることができる多重アクセスシステムである。そのような多重アクセスシステムの例は、符号分割多元接続（ＣＤＭＡ：code division multiple access）システム、時分割多元接続（ＴＤＭＡ：time division multiple access）システム、周波数分割多元接続（ＦＤＭＡ：frequency division multiple access）システムおよび直交周波数分割多元接続（ＯＦＤＭＡorthogonal frequency division multiple access）システムを含む。
【図面の簡単な説明】
【０００６】
【図１】図１は、ここに記述された方法および装置が実装されている無線通信システムを示す。
【図２】図２は、モバイル局が往復遅延をどのように計算するかを示す例を示す。
【図３】図３は、往復遅延を測定する方法の例を示す。
【図４】図４は、図３の方法に対応するミーンズプラスファンクションブロックを示す。
【図５】図５は、往復遅延を測定する方法の別の例を示す。
【図６】図６は、図５の方法に対応するミーンズプラスファンクションブロックを示す。
【図７】図７は、モバイル局が往復遅延をどのように計算するかを示す別の例を示す。
【図８】図８は、往復遅延を測定する方法の別の例を示す。
【図９】図９は、図８の方法に対応するミーンズプラスファンクションブロックを示す。
【図１０】図１０は、往復遅延を測定する方法の別の例を示す。
【図１１】図１１は、図１０の方法に対応するミーンズプラスファンクションブロックを示す。
【図１２】図１２は、無線デバイス中で利用される様々なコンポーネントを示す。
【発明を実施するための形態】
【０００７】
本開示の方法および装置は、広帯域無線通信システムで利用できる。用語「広帯域無線」は、無線、音声、インターネット、および／または任意のエリアでのデータネットワークアクセスを提供する技術を指す。
【０００８】
広帯域ワイヤレス・アクセス・スタンダードにおけるＩＥＥＥ（Institute of Electronic and Electrical Engineers）８０２．１６ワーキンググループは、広帯域ワイヤレス・メトロポリタン・エリア・ネットワークの広範囲な展開のための公式仕様を作成することを目指している。標準規格の８０２．１６ファミリは、公式にはＷｉｒｅｌｅｓｓＭＡＮと呼ばれるが、それは、ＷｉＭＡＸフォーラムと呼ばれる業界団体によって「ＷｉＭＡＸ」（それは「Worldwide Interoperability for Microwave Access」を表わす）と呼ばれている。したがって、用語「ＷｉＭＡＸ」は、長距離にわたって高スループットの広帯域接続を提供する、標準ベース広帯域無線技術を指す。
【０００９】
今日ＷｉＭＡＸの２つの主要出願があり、それは、固定ＷｉＭＡＸおよびモバイルＷｉＭＡＸである。固定ＷｉＭＡＸアプリケーションは、ポイント・ツー・マルチポイントであり、ホームおよびビジネスへのブロードバンドアクセスを可能にする。モバイルＷｉＭＡＸは、ブロードバンドの速度で携帯電話ネットワークに十分な可動性を提供する。
【００１０】
ここに記述された例のうちのいくつかは、ＷｉＭＡＸ時分割二重（ＴＤＤ）システムに適切である。しかし、これらの例は、本開示の範囲を制限するものと解釈されてはならない。
【００１１】
「往復遅延」は、基地局からモバイル局、およびモバイル局から基地局へ伝搬される信号の時間遅延を指す。往復遅延は、ハンドオフ、モバイル局の位置を決定する等のような様々な目的に使用される。往復遅延は、しばしば基地局往復遅延と呼ばれる。
【００１２】
くつかのシステムでは、基地局は往復遅延を測定する。しかしながら、いくつかの状況の下では、モバイル局が往復遅延を測定することが望ましい。例えば、モバイルＷｉＭＡＸ標準は、モバイル局が往復遅延を測定することを示す。本開示は、モバイル局で往復遅延を測定する技術に関する。
【００１３】
モバイル局で往復遅延を測定する方法は、基地局で２つの異なるタイプのフレーム間の第１の時間差を決定することを含む。該方法は、さらに、モバイル局で２つの異なるタイプのフレーム間の第２の時間差を決定することを含む。該方法は、さらに、第１の時間差および第２の時間差に基づき往復遅延を計算することを含む。
【００１４】
往復遅延を測定するモバイル局は、プロセッサ、および該プロセッサと電気的に通信するメモリを含む。命令群は該メモリに記憶される。該命令は、基地局での２つの異なるタイプのフレーム間の第１の時間差を決定するために実行可能である。該命令群は、さらに、モバイル局での２つの異なるタイプのフレーム間の第２の時間差を決定するために実行可能である。該命令群は、さらに、該第１の時間差および該第２の時間差に基づき往復遅延を計算するために実行可能である。
【００１５】
往復遅延を測定するモバイル局は、基地局での２つの異なるタイプのフレーム間の第１の時間差を決定する手段を含む。モバイル局は、さらに、モバイル局での２つの異なるタイプのフレーム間の第２の時間差を決定する手段を含む。モバイル局は、さらに、該第１の時間差および該第２の時間差に基づき往復遅延を計算する手段を含む。
【００１６】
往復遅延を測定するためのコンピュータプログラム製品は、命令群をもつコンピュータ読み取り可能媒体を含む。該命令群は、基地局での２つの異なるタイプのフレーム間の第１の時間差を決定するコードを含む。該命令群は、さらに、モバイル局での２つの異なるタイプのフレーム間の第２の時間差を決定するコードを含む。該命令群は、さらに、該第１の時間差および該第２の時間差に基づき往復遅延を計算するコードを含む。
【００１７】
図１は、ここに記述された方法および装置が実装されている無線通信システム１００を示す。基地局１０２は、モバイル局１０４と無線電子通信を行うように示される。簡単のため、１つのみのモバイル局１０４が図１に示される。しかしながら、基地局１０２は、複数のモバイル局１０４と電子通信でき、該複数のモバイル局のそれぞれは、図１に示されるモバイル局１０４と同様に構成されている。
【００１８】
モバイル局１０４は、往復遅延を測定するように構成されている。上に示されるように、「往復遅延」は基地局１０２からモバイル局１０４、およびモバイル局１０４から基地局１０２へ伝搬する信号の時間遅延を指す。モバイル局１０４は、往復遅延を測定する往復遅延測定コンポーネント１０６とともに示される。
【００１９】
モバイル局１０４は、基地局１０２での送信／受信遷移ギャップ（ＴＴＧ１０８）と、モバイル局１０４での送信／受信遷移ギャップ（ＴＴＧ＿ＭＳ１１０）とを用いて往復遅延を測定する。ＴＴＧ１０８は、時分割多重（ＴＤＤ）システムにおけるダウンリンクフレームの終わりとアップリンクフレームの開始との間の、基地局１０２アンテナポートで測定される時間差である。ＴＴＧ＿ＭＳ１１０は、ＴＤＤシステムにおけるダウンリンクフレームの終わりとアップリンクフレームの開始との間の、モバイル局１０４アンテナポートで測定される時間差である。モバイル局１０４が、ＴＴＧ１０８およびＴＴＧ＿ＭＳ１１０を使用して、どのように往復遅延を決定するかに関するさらなる詳細は、以下に記述する。
【００２０】
他の方法として、モバイル局１０４は、基地局１０２における受信／送信遷移ギャップ（ＲＴＧ１１２）と、モバイル局１０４での受信／送信遷移ギャップ（ＲＴＧ＿ＭＳ１１４）とを使用して、往復遅延を決定する。ＲＴＧ１１２は、ＴＤＤシステムにおけるアップリンクフレームの終わりとダウンリンクフレームの開始との間の、基地局１０２アンテナポートで測定される時間差である。ＲＴＧ＿ＭＳ１１４は、ＴＤＤシステムにおけるアップリンクフレームの終わりとダウンリンクフレームの開始との間の、モバイル局１０４アンテナポートで測定される時間差である。モバイル局１０４が、ＲＴＧ１１２およびＲＴＧ＿ＭＳ１１４を使用して、どのように往復遅延を決定するかに関するさらなる詳細は、以下に記述する。
【００２１】
ＴＴＧ１０８およびＲＴＧ１１２は、複数のモバイル局１０４へブロードキャストされるダウンリンク・チャネル・ディスクリプタ１２６の一部として、基地局１０２から受信される。しかし、モバイル局１０４が、ＴＴＧ１０８およびＲＴＧ１１２を決定する他の方法があり、本開示の範囲は、この点に関し制限されない。
【００２２】
往復遅延を測定する前に、モバイル局１０４は、アップリンクフレーム同期を得るためにアップリンク送信タイミングを較正する。例えば、モバイルＷｉＭＡＸエアーインタフェース・プロトコルでは、同一セクタ内の全てのモバイル局１０４からのアップリンクデータは、基地局１０２と同期される。モバイル局１０４は、アップリンク送信タイミングの較正のため、アップリンク較正コンポーネント１２２とともに示される。アップリンク送信タイミングの較正は、基地局１０２へレンジング要求１２８を送ることを含む。レンジング要求１２８を受信すると、基地局１０２は、モバイル局１０４から受信されたアップリンクデータの遅延を測定し、それをアップリンクフレームの望ましいタイミングと比較して、時間差を計算し、モバイル局１０４へレンジング応答１３０を返送する。モバイル局１０４は、レンジング応答１３０内に含まれていた情報に基づき、アップリンク送信タイミングを調節する。
【００２３】
モバイル局１０４は、アップリンク送信タイミングが最後に較正されてから、ダウンリンクフレームのタイミングシフトも追跡し続ける。この機能を実装するため、モバイル局１０４には、タイミングシフト決定コンポーネント１２４が示されている。以下により詳しく記述するように、モバイル局１０４は、往復遅延の計算にタイミングシフトを入れる。これは、往復遅延を測定するためのトリガーが発生した時、アップリンク送信タイミングを較正できない場合に有用である。
【００２４】
図２は、モバイル局２０４が、往復遅延をどのように計算するのかを示す例を説明する。図１のシステム１００でのモバイル局１０４は、図２に示される例に従って、往復遅延を計算する。
【００２５】
図２は、２つのパラメータ、ｄ１  ２１６およびｄ２  ２１８を示す。パラメータｄ１  ２１６は、信号が基地局２０２から送信される時と、信号がモバイル局２０４で受信される時との間の遅延を示す。パラメータｄ２  ２１８は、信号がモバイル局２０４から送信される時と、信号が基地局２０２で受信される時との間の遅延を示す。往復遅延は、パラメータｄ１  ２１６とパラメータｄ２  ２１８との合計として表現される。
【００２６】
ＴＴＧ２０８およびＴＴＧ＿ＭＳ２１０は、図２に示される。上記のように、ＴＴＧ２０８は、ダウンリンクフレーム２３０の終わりとアップリンクフレーム２３２の開始との間に、基地局２０２アンテナポートで測定される時間差である。モバイル局２０４は、基地局２０２からＴＴＧ２０８を受信する。ＴＴＧ＿ＭＳ２１０は、ダウンリンクフレーム２３０の終わりとアップリンクフレーム２３２の開始との間の、モバイル局２０４アンテナポートで測定される時間差である。モバイル局２０４は、ＴＴＧ＿ＭＳ２１０を計算する。
【００２７】
上記のように、モバイル局２０４は、ＴＴＧ２０８およびＴＴＧ＿ＭＳ２１０を使用して、往復遅延を計算する。モバイル局２０４は、等式（１）に従って往復遅延を計算する。
【００２８】
往復遅延＝ＴＴＧ−ＴＴＧ＿ＭＳ          （１）
ＲＴＧ２１２およびＲＴＧ＿ＭＳ２１４も、図２に示される。上記のように、ＲＴＧ２１２は、アップリンクフレーム２３２の終わりとダウンリンクフレーム２３０の開始との間の、基地局２０２アンテナポートで測定される時間差である。モバイル局２０４は、基地局２０２からＲＴＧ２１２を受信する。ＲＴＧ＿ＭＳ２１４は、アップリンクフレーム２３２の終わりとダウンリンクフレーム２３０の開始との間の、モバイル局２０４アンテナポートで測定される時間差である。モバイル局２０４は、ＲＴＧ＿ＭＳ２１４を計算する。
【００２９】
上記のように、モバイル局２０４は、ＲＴＧ２１２およびＲＴＧ＿ＭＳ２１４を使用して往復遅延を計算する。より具体的には、モバイル局２０４は、等式（２）に従って往復遅延を計算する
往復遅延＝ＲＴＧ＿ＭＳ−ＲＴＧ            （２）
上記のように、往復遅延を測定するトリガーに応じて、モバイル局２０４は、アップリンクフレーム同期を行うため、アップリンク送信タイミングを較正する。図２に示される例は、モバイル局２０４が、アップリンク送信タイミングを較正すると仮定している。しかし、モバイル局２０４は、アップリンク送信タイミングを較正する必要はなく、本開示の範囲はこの点に関して制限されない。
【００３０】
図３は、往復遅延を測定する方法３００の例を示す。この例において、往復遅延は上記の式（１）に従って計算されると仮定している。方法３００は、図１のシステム１００のモバイル局１０４で実施できる。
【００３１】
往復遅延を測定するトリガーの起動を検出する３０２と、モバイル局１０４は、アップリンク送信タイミングを較正する３０４。上記のように、これは、基地局１０２へレンジング要求１２８を送ることを含む。レンジング要求１２８を受信すると、基地局１０２は、モバイル局１０４から受信されるアップリンクデータの遅延を測定し、それをアップリンクフレームの望ましいタイミングと比較して、時間差を計算し、モバイル局１０４へレンジング応答１３０を返送する。モバイル局１０４は、レンジング応答１３０に基づきアップリンク送信タイミングを調節する。
【００３２】
モバイル局１０４は、ＴＴＧ２０８を決定し３０６、またさらにＴＴＧ＿ＭＳ２１０を決定する３０８。このような関係において、用語「決定する」は、モバイル局１０４がＴＴＧ２０８およびＴＴＧ＿ＭＳ２１０を確定するどんな方法でも包含するよう広く解釈される。上記のように、モバイル局２０４は、基地局２０２からＴＴＧ２０８を受信し、そしてモバイル局２０４は、ＴＴＧ＿ＭＳ２１０を計算する。しかし、本開示はこの点に関して制限されない。
【００３３】
ＴＴＧ２０８およびＴＴＧ＿ＭＳ２１０が決定された時３０６、３０８、往復遅延は上記の式（１）に従って計算される３１０。その後、往復遅延は、ハンドオフや、モバイル局１０４の位置を決定すること等のような様々な目的に使用される。
【００３４】
上述した図３の方法３００は、図４に示されたミーンズプラスファンクションブロック４００に対応する様々なハードウェア、および／またはソフトウェアコンポーネント、および／またはモジュールによって実行される。言いかえれば、図３に示されているブロック３０２から３１０は、図４に示されている、ミーンズプラスファンクションブロック４０２から４１０に対応する。
【００３５】
図５は、往復遅延を測定する方法５００を示す。この方法５００では、往復遅延が上記式（２）に従って計算されると仮定している。方法５００は、図１のシステム１００のモバイル局１０４で実施される。
【００３６】
往復遅延を測定するトリガーの起動の検出５０２に呼応して、モバイル局１０４は、上述のように、アップリンク送信タイミングを較正する５０４。モバイル局１０４はＲＴＧ２１２を決定し５０６、またさらに、ＲＴＧ＿ＭＳ  ２１４を決定する５０８。以前のように、用語「決定する」は、モバイル局１０４がＲＴＧ  ２１２およびＲＴＧ＿ＭＳ  ２１４を確定するどのような方法でも包含するよう広く解釈される。モバイル局２０４は、基地局２０２からＲＴＧ２１２を受信し、さらにモバイル局２０４は、ＲＴＧ＿ＭＳ２１４を計算する。しかしながら、本開示はこの点に関して制限されない。
【００３７】
ＲＴＧ２１２およびＲＴＧ＿ＭＳ  ２１４が決定された時５０６、５０８、往復遅延は上式（２）に従って計算される５１０。その後、往復遅延は、ハンドオフ、モバイル局１０４の位置を決定する等の様々な目的に使用される。
【００３８】
上述した図５の方法５００は、図６に示されたミーンズプラスファンクションブロック６００に対応する様々なハードウェアおよび／またはソフトウェアコンポーネント、および／またはモジュールによって実行される。言いかえれば、図５に示されているブロック５０２から５１０は、図６に示されているミーンズプラスファンクションブロック６０２から６１０に対応する。
【００３９】
図７は、モバイル局７０４が往復遅延をどのように計算するかを示す別の例を示す。この例は、往復遅延を測定するためのトリガーを受信したとき、アップリンク送信タイミングを較正できない状況に該当する。図１のシステム１００のモバイル局１０４は、図７に示される例に従って、往復遅延を計算する。
【００４０】
ＴＴＧ７０８およびＴＴＧ＿ＭＳ７１０は、図７に示される。さらに、ＲＴＧ７１２およびＲＴＧ＿ＭＳ７１４も、図７に示される。
【００４１】
パラメータＤ７２０も図７に示される。パラメータＤ７２０は、アップリンク送信タイミングが最後に較正されてからのダウンリンクフレームのタイミングシフトを示す。このタイミングシフトは、モバイル局７０４の位置の変化に起因している。
【００４２】
図７は、基地局７０２から更に遠くへ移動するモバイル局７０４に起因するタイミングシフトを示す（すなわち、モバイル局７０４は、位置１から位置２へ位置が変わり、位置２は位置１よりも基地局７０２から更に遠くにある）。この場合、モバイル局７０４から見ると、ダウンリンクフレーム７３０は、最近の較正中に前もって計算されたものよりも遅く終了するが、アップリンクフレーム７３２は、モバイル局で、最近の較正中に前もって計算されたとおりに開始する。
【００４３】
もちろん、タイミングシフトが、基地局７０２に接近して来るモバイル局７０４により生じることもある。この場合、モバイル局７０４から見ると、ダウンリンクフレーム７３０は最近の較正中に前もって計算された時より早く終了するが、アップリンクフレーム７３２は最近の較正中に前もって計算されたとおりに開始する。
【００４４】
モバイル局７０４は、パラメータＤ７２０の値を決定し、それにより、往復遅延を計算するときにその計算にタイミングシフトを入れることができる。例えば、モバイル局７０４が、ＴＴＧ７０８およびＴＴＧ＿ＭＳ７１０を使って往復遅延を計算するところで、モバイル局７０４は式（３）に従ってタイミングシフトを修正する。
【００４５】
往復遅延＝ＴＴＧ−ＴＴＧ＿ＭＳ＋Ｄ             （３）
モバイル局７０４が、ＲＴＧ７１２およびＲＴＧ＿ＭＳ７１４を使って往復遅延を計算するところで、モバイル局７０４は式（４）に従ってタイミングシフトを修正する。
【００４６】
往復遅延＝ＲＴＧ＿ＭＳ−ＲＴＧ＋Ｄ             （４）
式（３）および（４）において、図７のように、タイミングシフトが、基地局７０２から遠くの方へ移動するモバイル局７０４による場合、パラメータＤ７２０はプラスである。タイミングシフトが、基地局７０２に接近して来るモバイル局７０４による場合、パラメータＤ７２０はマイナスである。
【００４７】
図８は、往復遅延を測定する方法８００の別の例を示す。この例において、往復遅延が上式（３）に従って計算されると仮定している。方法８００は、図１のシステム１００のモバイル局１０４で行われる。
【００４８】
往復遅延を測定するトリガーの起動の検出８０２に呼応して、モバイル局１０４は、アップリンク送信タイミングを最後に較正してからの、ダウンリンクフレームのタイミングシフトを８０４で決定する（すなわちパラメータＤ７２０）。モバイル局１０４は、さらに８０６でＴＴＧ７０８を決定し、ＴＴＧ＿ＭＳ７１０を決定する８０８。ＴＴＧ７０８およびＴＴＧ＿ＭＳ７１０は、上述のように、８０６および８０８で決定される。その後、往復遅延は、上式（３）に従って計算される８１０。
【００４９】
上述の図８の方法８００は、図９に示されたミーンズプラスファンクションブロック９００に対応する様々なハードウェアおよび／またはソフトウェアコンポーネント、および／またはモジュールによって実行される。言いかえれば、図８に示されているブロック８０２から８１０は、図９に示されているミーンズプラスファンクションブロック９０２から９１０に対応する。
【００５０】
図１０は、往復遅延を測定する方法１０００の別の例を示す。この例において、往復遅延は上式（４）に従って計算されると仮定している。方法１０００は、図１のシステム１００のモバイル局１０４で行われる。
【００５１】
往復遅延を測定するトリガーの起動を検出する１００２と、モバイル局１０４は、アップリンク送信タイミングが最後に較正されてからのダウンリンクフレームのタイミングシフトを決定する１００４（つまりパラメータＤ７２０）。モバイル局１０４はさらにＲＴＧ７１２を決定し１００６、またＲＴＧ＿ＭＳ７１４を決定する１００８。ＲＴＧ７１２およびＲＴＧ＿ＭＳ７１４は、上述のように、１００６、１００８で決定される。その後、往復遅延は、上式（４）に従って１０１０で計算される。
【００５２】
上述の図１０の方法１０００は、図１１に示されたミーンズプラスファンクションブロック１１００に対応する様々なハードウェアおよび／またはソフトウェアコンポーネント、および／またはモジュールによって実行される。言いかえれば、図１０に示されている、ブロック１００２から１０１０は、図１１に示されているミーンズプラスファンクションブロック１１０２から１１１０に対応する。
【００５３】
図１２は、無線デバイス１２０２に使用される様々なコンポーネントを示す。無線デバイス１２０２は、ここに記述された様々な方法を実現するデバイスの例である。無線デバイス１２０２は、基地局１０２あるいはモバイル局１０４である。
【００５４】
無線デバイス１２０２は、無線デバイス１２０２の動作を制御するプロセッサ１２０４を含む。プロセッサ１２０４は、中央処理装置（ＣＰＵ）と呼ばれる。メモリ１２０６は、読み出し専用メモリ（ＲＯＭ）およびランダムアクセスメモリ（ＲＡＭ）の両方を含み、プロセッサ１２０４に命令とデータを提供する。メモリ１２０６の一部は、さらに不揮発性ランダムアクセスメモリ（ＮＶＲＡＭ）を含む。プロセッサ１２０４は通常、メモリ１２０６内に記憶されたプログラム命令に基づき、論理演算および算術演算を行なう。メモリ１２０６中の命令は、ここに記述された方法を実行可能である。
【００５５】
無線デバイス１２０２はさらに、無線デバイス１２０２と遠隔地との間のデータの送受信を可能にするトランスミッタ１２１０およびレシーバ１２１２を含むハウジング（housing）１２０８を含む。トランスミッタ１２１０およびレシーバ１２１２は、トランシーバ１２１４に組み合わされる。アンテナ１２１６は、ハウジング１２０８に取り付けられ、電気的にトランシーバ１２１４につながれる。無線デバイス１２０２はさらに、複数のトランスミッタ、複数のレシーバ、複数のトランシーバ、および／または複数のアンテナを含むことができる（表示していない）。
【００５６】
無線デバイス１２０２はさらに、トランシーバ１２１４によって受信された信号のレベルを検出および計量するために使用する信号検出器１２１８を含むことができる。信号検出器１２１８は、そのような信号を、総エネルギー、疑似雑音（ＰＮ）チップについてパイロットエネルギー、パワースペクトル密度、および他の信号として検出する。無線デバイス１２０２はさらに、信号処理に使用するデジタルシグナルプロセッサ（ＤＳＰ）１２２０を含むことができる。
【００５７】
無線デバイス１２０２の様々なコンポーネントは、データバスに加えてパワーバス、制御信号バス、およびステータス信号バスを含むバスシステム１２２２によってともに連結される。しかし明確のため、様々なバスが、バスシステム１２２２として図１２に示されている。
【００５８】
ここに使用されているように、用語「決定する」は、種々様々の動作を包含する、したがって、「決定する」は、計算する、演算する、処理する、導き出す、調査する、調べる（例えば、テーブル、データベース、あるいは別のデータ構造の中を調べる）、解明する、などを含む。さらに、「決定する」は、受信する（例えば、情報を受信する）、アクセスする（例えば、メモリ内のデータにアクセスする）などを含む。さらに、「決定する」は、解決する、選択する（selecting, choosing）、確立するなどを含む。
【００５９】
フレーズ「基づく（based on）」は、明らかにそうでないと指定していないならば「のみに基づく（based only on）」を意味しない。言いかえれば、フレーズ「基づく」は、「のみに基づく」と「少なくとも基づく」との両方を記述する。
【００６０】
本開示に関して記述された様々な実例となる論理的なブロック、モジュール、および回路は、汎用プロセッサ、デジタルシグナルプロセッサ（ＤＳＰ）、特定用途向け集積回路（ＡＳＩＣ）、フィールドプログラマブル・ゲートアレー信号（ＦＰＧＡ）、あるいは他のプログラマブル論理デバイス、個別のゲートかトランジスタロジック、個別のハードウェアコンポーネント、あるいはここに記述された機能を実行するよう設計されたこれらの任意の組合せで、実行されまたは実装される。汎用プロセッサはマイクロプロセッサでもよいが、代わりに、プロセッサは任意の市販のプロセッサ、コントローラ、マイクロコントローラ、あるいはステートマシーンでもよい。プロセッサも、複数のコンピュータデバイス、例えば、ＤＳＰとマイクロプロセッサの組合せ、複数のマイクロプロセッサ、ＤＳＰコアと連動する１つまたは複数のマイクロプロセッサ、あるいは他のそのような機器構成の組合せとして実装することができる。
【００６１】
本開示に関して記述された方法またはアルゴリズムのステップは、ハードウェア、プロセッサによって実行されるソフトウェアモジュール、あるいはこの２つの組合せで直接具体化される。ソフトウェアモジュールは、公知の技術である記憶媒体の任意の形式で存在し得る。使用されている記憶媒体のいくつかの例は、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭなどを含む。ソフトウェアモジュールは、単一命令、あるいは多くの命令を含み、いくつかの異なるコードセグメント上、様々なプログラム中、および複数の記憶媒体に渡って分散している。記憶媒体はプロセッサに連結されて、プロセッサはその記憶媒体に対して情報の読み書きが可能である。言いかえれば、記憶媒体はプロセッサに不可欠である。
【００６２】
ここに開示された方法は、上記方法を達成するための１つまたはそれ以上のステップあるいはアクションを含む。方法ステップおよび／またはアクションは、クレームの範囲を逸脱しない範囲で、互いに交換可能である。言いかえれば、ステップまたはアクションの特定の順序が指定されなければ、特定のステップおよび／またはアクションの順序および／または使用は、クレームの範囲を逸脱しない範囲で変形できる。
【００６３】
記述された機能は、ハードウェア、ソフトウェア、ファームウェアあるいはそれらの任意の組合せで実装される。ソフトウェアで実装する場合、該機能は、コンピュータ読取可能媒体上の１つまたは複数の命令として記憶される。コンピュータ読取可能媒体は、コンピュータによってアクセスされ得るあらゆる利用可能な媒体である。例として、また、これに限定するものではないが、コンピュータ読取可能媒体は、ＲＡＭ、ＲＯＭ、ＥＥＰＲＯＭ、ＣＤ−ＲＯＭまたは他の光ディスク記憶装置、磁気ディスク記憶装置、あるいは他の磁気記憶装置、あるいは所望のプログラムコードを、コンピュータによってアクセス可能な命令あるいはデータ構造の形式で、持ち運ぶか記憶するために使用される他の媒体、を含む。ここで使用されるディスク（disk and disc）は、コンパクトディスク（ＣＤ）、レーザディスク、光ディスク、ＤＶＤ（digital versatile disc）、フロッピー（登録商標）ディスクおよびブルーレイ（登録商標）ディスクを含み、ディスク（disk）は、通常磁気的にデータを再生し、ディスク（disc）は、レーザでデータを光学的に再生する。
【００６４】
ソフトウェアまたは命令も、送信媒体を通して送信される。例えば、ソフトウェアが、同軸ケーブル、光ファイバーケーブル、ツイストペア、デジタル加入者線（ＤＳＬ）あるいは、赤外線、ラジオおよびマイクロ波のような無線技術を使用して、ウェブサイト、サーバ、あるいは他のリモートソースから送信される場合、同軸ケーブル、光ファイバーケーブル、ツイストペア、ＤＳＬ、あるいは赤外線、ラジオおよびマイクロ波のような無線技術は、送信媒体の定義に含まれる。
【００６５】
さらに、図３、５、８および１０で示されたように、ここで記述した方法およびテクニックを実行するためのモジュールおよび／または他の適切な手段は、モバイルデバイスおよび／または基地局によって、ダウンロードおよび／またはそうでなければ他の方法で得ることができることはいうまでもない。例えば、そのようなデバイスはサーバにつながれ、ここに記述された方法を実行する手段の転送を容易にする。あるいは、ここに記述された様々な方法は、記憶手段（例えば、ランダムアクセスメモリ（ＲＡＭ）、読み出し専用メモリ（ＲＯＭ）、コンパクトディスク（ＣＤ）あるいはフロッピーディスクのような物理的な記憶媒体など）によって提供することができ、モバイルデバイスおよび／または基地局は、当該デバイスに記憶手段を連結または提供することにより、様々な方法を得ることができる。さらに、ここに記述された方法およびテクニックをデバイスに与える他の適切なテクニックも、利用することができる。
【００６６】
クレームは、上記と全く同一の構成およびコンポーネントに限定するものではない。様々な変形、変更およびバリエーションは、ここに記述されたシステム、方法および装置における配列、動作および詳細において、クレームの要旨を逸脱しない範囲で可能である。
なお、以下に、出願当初の特許請求の範囲に記載された発明を付記する。
［Ｃ１］
モバイル局により実行される、往復遅延を測定する方法であって、
基地局での２つの異なるタイプのフレーム間の第１の時間差を決定することと、
モバイル局での２つの異なるタイプのフレーム間の第２の時間差を決定すること、
前記第１の時間差および前記第２の時間差に基づき前記往復遅延を計算することと、
を含む方法。
［Ｃ２］
前記第１の時間差は前記基地局での送信／受信遷移ギャップ（ＴＴＧ）であり、前記第２の時間差は前記モバイル局での送信／受信遷移ギャップ（ＴＴＧ＿ＭＳ）である、
Ｃ１の方法。
［Ｃ３］
前記往復遅延はＴＴＧ−ＴＴＧ＿ＭＳとして計算される、Ｃ２の方法。
［Ｃ４］
前記第１の時間差は前記基地局での受信／送信遷移ギャップ（ＲＴＧ）であり、前記第２の時間差は前記モバイル局での受信／送信遷移ギャップ（ＲＴＧ＿ＭＳ）である、Ｃ１の方法。
［Ｃ５］
前記往復遅延はＲＴＧ＿ＭＳ−ＲＴＧとして計算される、Ｃ４の方法。
［Ｃ６］
アップリンク送信タイミングを較正すること、をさらに含むＣ１の方法。
［Ｃ７］
前のアップリンクタイミング較正からのダウンリンクフレームのタイミングシフトを決定することと、
前記往復遅延の計算に前記タイミングシフトを入れることと、
を更に含むＣ１の方法。
［Ｃ８］
前記往復遅延はＴＴＧ−ＴＴＧ＿ＭＳ＋Ｄと計算される、ここでＤは、前のアップリンクタイミング較正からのダウンリンクフレームのタイミングシフトである、
Ｃ２の方法。
［Ｃ９］
前記往復遅延はＲＴＧ＿ＭＳ−ＲＴＧ＋Ｄと計算される、ここでＤは、前のアップリンクタイミング較正からのダウンリンクフレームのタイミングシフトである、
Ｃ４の方法。
［Ｃ１０］
前記モバイル局は、電子電気学会（ＩＥＥＥ）８０２．１６標準規格に準拠する無線通信ネットワークによって通信する、Ｃ１の方法。
［Ｃ１１］
往復遅延を測定するモバイル局であって、
プロセッサと、
前記プロセッサと電気的に通信するメモリと、
前記メモリに記憶された命令と、
を備え、前記命令は、
基地局での２つの異なるタイプのフレーム間の第１の時間差を決定することと、
モバイル局での２つの異なるタイプのフレーム間の第２の時間差を決定することと、
前記第１の時間差および前記第２の時間差に基づき前記往復遅延を計算することと、
を実行可能なモバイル局。
［Ｃ１２］
前記第１の時間差は前記基地局での送信／受信遷移ギャップ（ＴＴＧ）であり、前記第２の時間差は前記モバイル局での送信／受信遷移ギャップ（ＴＴＧ＿ＭＳ）である、
Ｃ１１のモバイル局。
［Ｃ１３］
前記往復遅延はＴＴＧ−ＴＴＧ＿ＭＳとして計算される、Ｃ１２のモバイル局。
［Ｃ１４］
前記第１の時間差は前記基地局での受信／送信遷移ギャップ（ＲＴＧ）であり、前記第２の時間差は前記モバイル局での受信／送信遷移ギャップ（ＲＴＧ＿ＭＳ）である、Ｃ１１のモバイル局。
［Ｃ１５］
前記往復遅延はＲＴＧ＿ＭＳ−ＲＴＧとして計算される、Ｃ１４のモバイル局。
［Ｃ１６］
前記命令は、アップリンク送信タイミングを較正すること、をさらに実行可能なＣ１１のモバイル局。
［Ｃ１７］
前記命令は、
前のアップリンクタイミング較正からのダウンリンクフレームのタイミングシフトを決定することと、
前記往復遅延の計算に前記タイミングシフトを入れることと、
をさらに実行可能なＣ１１のモバイル局。
［Ｃ１８］
前記往復遅延はＴＴＧ−ＴＴＧ＿ＭＳ＋Ｄと計算される、ここでＤは、前のアップリンクタイミング較正からのダウンリンクフレームのタイミングシフトである、
Ｃ１２のモバイル局。
［Ｃ１９］
前記往復遅延はＲＴＧ＿ＭＳ−ＲＴＧ＋Ｄと計算される、ここでＤは、前のアップリンクタイミング較正からのダウンリンクフレームのタイミングシフトである、
Ｃ１４のモバイル局。
［Ｃ２０］
前記モバイル局は、電子電気学会（ＩＥＥＥ）８０２．１６標準規格に準拠する無線通信ネットワークによって通信する、Ｃ１１のモバイル局。
［Ｃ２１］
往復遅延を測定するモバイル局であって、
基地局での２つの異なるタイプのフレーム間の第１の時間差を決定する手段と、
モバイル局での２つの異なるタイプのフレーム間の第２の時間差を決定する手段と、
前記第１の時間差および前記第２の時間差に基づき前記往復遅延を計算する手段と、
を備えるモバイル局。
［Ｃ２２］
前記第１の時間差は前記基地局での送信／受信遷移ギャップ（ＴＴＧ）であり、前記第２の時間差は前記モバイル局での送信／受信遷移ギャップ（ＴＴＧ＿ＭＳ）である、
Ｃ２１のモバイル局。
［Ｃ２３］
前記往復遅延はＴＴＧ−ＴＴＧ＿ＭＳとして計算される、Ｃ２２のモバイル局。
［Ｃ２４］
前記第１の時間差は前記基地局での受信／送信遷移ギャップ（ＲＴＧ）であり、前記第２の時間差は前記モバイル局での受信／送信遷移ギャップ（ＲＴＧ＿ＭＳ）である、Ｃ２１のモバイル局。
［Ｃ２５］
前記往復遅延はＲＴＧ＿ＭＳ−ＲＴＧとして計算される、Ｃ２４のモバイル局。
［Ｃ２６］
アップリンク送信タイミングを較正する手段、をさらに備えるＣ２１のモバイル局。［Ｃ２７］
前のアップリンクタイミング較正からのダウンリンクフレームのタイミングシフトを決定する手段と、
前記往復遅延の計算に前記タイミングシフトを入れる手段と、
をさらに備えるＣ２１のモバイル局。
［Ｃ２８］
前記往復遅延はＴＴＧ−ＴＴＧ＿ＭＳ＋Ｄと計算される、ここでＤは、前のアップリンクタイミング較正からのダウンリンクフレームのタイミングシフトである、
Ｃ２２のモバイル局。
［Ｃ２９］
前記往復遅延はＲＴＧ＿ＭＳ−ＲＴＧ＋Ｄと計算される、ここでＤは、前のアップリンクタイミング較正からのダウンリンクフレームのタイミングシフトである、
Ｃ２４のモバイル局。
［Ｃ３０］
前記モバイル局は、電子電気学会（ＩＥＥＥ）８０２．１６標準規格に準拠する無線通信ネットワークによって通信する、Ｃ２１のモバイル局。
［Ｃ３１］
往復遅延を測定するためのコンピュータプログラム製品であって、前記コンピュータプログラム製品は、命令を有するコンピュータ読取可能媒体を含み、前記命令は、
基地局での２つの異なるタイプのフレーム間の第１の時間差を決定するコードと、
モバイル局での２つの異なるタイプのフレーム間の第２の時間差を決定するコードと、
前記第１の時間差および前記第２の時間差に基づき前記往復遅延を計算するコードと、
を含むコンピュータプログラム製品。
［Ｃ３２］
前記第１の時間差は前記基地局での送信／受信遷移ギャップ（ＴＴＧ）であり、前記第２の時間差は前記モバイル局での送信／受信遷移ギャップ（ＴＴＧ＿ＭＳ）である、
Ｃ３１のコンピュータプログラム製品。
［Ｃ３３］
前記往復遅延はＴＴＧ−ＴＴＧ＿ＭＳとして計算される、Ｃ３２のコンピュータプログラム製品。
［Ｃ３４］
前記第１の時間差は前記基地局での受信／送信遷移ギャップ（ＲＴＧ）であり、前記第２の時間差は前記モバイル局での受信／送信遷移ギャップ（ＲＴＧ＿ＭＳ）である、Ｃ３１のコンピュータプログラム製品。
［Ｃ３５］
前記往復遅延はＲＴＧ＿ＭＳ−ＲＴＧとして計算される、Ｃ３４のコンピュータプログラム製品。
［Ｃ３６］
アップリンク送信タイミングを較正する手段をさらに含むＣ３１のコンピュータプログラム製品。
［Ｃ３７］
前のアップリンクタイミング較正からのダウンリンクフレームのタイミングシフトを決定する手段と、
前記往復遅延の計算に前記タイミングシフトを入れる手段と、
をさらに含むＣ３１のコンピュータプログラム製品。
［Ｃ３８］
前記往復遅延はＴＴＧ−ＴＴＧ＿ＭＳ＋Ｄと計算される、ここでＤは、前のアップリンクタイミング較正からのダウンリンクフレームのタイミングシフトである、
Ｃ３２のコンピュータプログラム製品。
［Ｃ３９］
前記往復遅延はＲＴＧ＿ＭＳ−ＲＴＧ＋Ｄと計算される、ここでＤは、前のアップリンクタイミング較正からのダウンリンクフレームのタイミングシフトである、
Ｃ３４のコンピュータプログラム製品。
［Ｃ４０］
前記モバイル局は、電子電気学会（ＩＥＥＥ）８０２．１６標準規格に準拠する無線通信ネットワークによって通信する、Ｃ３１のコンピュータプログラム製品。
【図１】
0005607213.tif 000002
【図２】
0005607213.tif 000003
【図３】
0005607213.tif 000004
【図４】
0005607213.tif 000005
【図５】
0005607213.tif 000006
【図６】
0005607213.tif 000007
【図７】
0005607213.tif 000008
【図８】
0005607213.tif 000009
【図９】
0005607213.tif 000010
【図１０】
0005607213.tif 000011
【図１１】
0005607213.tif 000012
【図１２】
0005607213.tif 000013